(57)【要約】      （修正有）【課題】立体的でデザイン性に優れた形状を有するとともに、任意のメッセージ等を記入でき、所望の対象に貼着可能であり、かつプライバシーの保守にも配慮した、シール部材を提供する。【解決手段】第１部分１１および第２部分１２を有し、折り曲げ部１３により第１部分と第２部分とが区分されているベースシートと、第２部分の一方の面に付着した粘着層と、粘着層を保護する剥離シートと、を備え、第１部分が、上方に立ち上がる折り起こし部または下方に立ち下がる折り下げ部を形成するための切り込み１１ａ、１２ｂを有し、第２部分が、粘着層と反対の面に、任意の文字または図形を記載可能な情報入力領域１２ａを有し、ベースシートを折り曲げ部で折り曲げることで、第１部分により第２部分の情報入力領域の少なくとも一部を遮蔽することを可能とする。【選択図】図１
0003180830.tif 000002
【実用新案登録請求の範囲】
【請求項１】
第１部分および第２部分を有し、折り曲げ部により前記第１部分と前記第２部分とが区分されているベースシートと、
前記第２部分の一方の面に付着した粘着層と、
前記粘着層を保護する剥離シートと、を備え、
前記第１部分が、上方に立ち上がる折り起こし部または下方に立ち下がる折り下げ部を形成するための切り込みを有し、
前記第２部分が、前記粘着層と反対の面に、任意の文字または図形を記載可能な情報入力領域を有し、
前記ベースシートを前記折り曲げ部で折り曲げることで、前記第１部分により前記第２部分の前記情報入力領域の少なくとも一部を遮蔽することが可能である、シール部材。
【請求項２】
前記ベースシートを前記折り曲げ部で折り曲げ、前記情報入力領域の少なくとも一部を前記第１部分で遮蔽したときに、前記第１部分の一部を挿入または挟持することにより支持もしくは固定するための切り込みを前記第２部分が有する、請求項１記載のシール部材。
【請求項３】
前記第２部分が、上方に立ち上がる折り起こし部を形成するための切り込みを有する、請求項１または２記載のシール部材。
【考案の詳細な説明】
【技術分野】
【０００１】
本考案は、任意の文字または図形を記入することが可能であり、所望の対象に貼着することが可能なシール部材に関する。
【背景技術】
【０００２】
従来、利用者が任意のメッセージを記入し、贈答品等に添付するメッセージカードが広く利用されている。メッセージカードは、デザイン性の観点から、種々の平面形状を有し、様々な図形、記号、模様等が配されている。これらのメッセージカードは、平面的なデザインが多い。
【０００３】
特許文献１は、２層以上のシールを積層した、折り起こし部を有する粘着シールを提案している。シールを立体的な形態とすることで、顧客の注意、関心を集めることができるとされている。
【先行技術文献】
【特許文献】
【０００４】
【特許文献１】実用新案登録第３０７２６９１号公報
【考案の概要】
【考案が解決しようとする課題】
【０００５】
特許文献１の粘着シールは、模様や図形を立体的に表現することはできるが、シールの裏面全体が粘着層となっており、用途が限定されることとなる。また、特許文献１のシールは、任意のメッセージを使用者が記入することを想定していない。そのため、仮に余白にメッセージを記入したとしても、メッセージを覆い隠すことができず、プライバシーを守りにくいという問題がある。
【０００６】
そこで、本考案は、立体的でデザイン性に優れた形状を有するとともに、任意のメッセージ等を記入でき、所望の対象に貼着可能であり、かつプライバシーの保守にも配慮した、シール部材を提供することを目的とする。
【課題を解決するための手段】
【０００７】
本考案に係るシール部材は、第１部分および第２部分を有し、折り曲げ部により第１部分と第２部分とが区分されているベースシートと、第２部分の一方の面に付着した粘着層と、粘着層を保護する剥離シートと、を備え、第１部分が、上方に立ち上がる折り起こし部または下方に立ち下がる折り下げ部を形成するための切り込みを有し、第２部分が、粘着層と反対の面に、任意の文字または図形を記載可能な情報入力領域を有する。そして、ベースシートを折り曲げ部で折り曲げることで、第１部分により第２部分の情報入力領域の少なくとも一部を遮蔽することが可能である。
【０００８】
本考案に係るシール部材は、ベースシートを折り曲げ部で折り曲げ、情報入力領域の少なくとも一部を第１部分で遮蔽したときに、第１部分の一部を挿入または挟持することにより支持もしくは固定するための切り込みを、第２部分が有してもよい。
第２部分は、上方に立ち上がる折り起こし部を形成するための切り込みを更に有してもよい。これにより、シールの装飾効果をより高めることができる。
【考案の効果】
【０００９】
本考案によれば、立体的でデザイン性に優れた形状を有するとともに、任意のメッセージ等を記入でき、所望の対象に貼着可能であり、かつプライバシーの保守にも配慮した、シール部材を提供することができる。
【図面の簡単な説明】
【００１０】
【図１】本考案の一実施形態に係るシール部材の構成を概略的に示す正面図である。
【図２】同シール部材の背面図である。
【図３】同シール部材の断面図である。
【図４】同シール部材を折り曲げ部で折り曲げ、第２部分の切り込みにより第１部分の一部を支持した状態を示す断面図である。
【図５】同シール部材の使用例を示す図である。
【考案を実施するための形態】
【００１１】
図１は、本考案の一実施形態に係るシール部材の構成を概略的に示す正面図である。図２は同シール部材の背面図であり、図３は同シール部材の断面図である。本考案に係るシール部材１０は、第１部分１１および第２部分１２を有し、折り曲げ部１３により第１部分１１と第２部分１２とが区分されているベースシートと、第２部分１２の一方の面に付着した粘着層１４と、粘着層１４を保護する剥離シート１５とを備える。
【００１２】
第１部分１１は様々な形状の切り込み１１ａを有する。切り込み１１ａを折り起こすことで、上方に立ち上がる折り起こし部を形成することができる。あるいは、切り込み１１ａを折り下げることで、下方に立ち下がる折り下げ部を形成することができる。これにより、立体的でデザイン性に優れた形状を容易に構成することができ、シールの装飾効果を高めることができる。切り込み１１ａは、少なくとも１つ形成されていればよく、複数の切り込み１１ａを形成してもよい。
【００１３】
第２部分１２は、粘着層１４と反対の面に情報入力領域１２ａを有する。情報入力領域１２ａには、任意の文字または図形（記号、模様等を含む）を記載することができる。これにより、シール部材１０に任意のメッセージ等を記入して、メッセージカードとして使用することができる。
【００１４】
本考案に係るシール部材１０においては、ベースシートを折り曲げ部１３で折り曲げることで、第１部分１１により第２部分１２の情報入力領域１２ａの少なくとも一部を遮蔽することが可能である。これにより、使用者のプライバシーを保守することができる。デザイン性およびプライバシーの保守性の観点から、第１部分１１は、情報入力領域１２ａの全てを遮蔽してもよい。
【００１５】
第２部分１２は、第１部分１１の一部を挿入または挟持することにより支持するための切り込み１２ｂを有することが好ましい。これにより、図４に示すように、ベースシートを折り曲げ部１３で折り曲げ、情報入力領域１２ａの少なくとも一部を第１部分１１で遮蔽するときに、第１部分の１１の一部を支持もしくは固定することができる。よって、情報の遮蔽状態を維持することが容易となり、シール部材１０の扱いやすさが向上する。
【００１６】
第２部分１２は、上方に立ち上がる折り起こし部を形成するための切り込みを有していてもよい。これにより、第１部分１１と同様に、第２部分１２を立体的なデザインとすることができる。また、第２部分の折り起こし部の裏面には、粘着層１４が設けられているため、これにより第１部分を支持または固定することもできる。このとき、第２部分１２において、情報入力領域１２ａは、文字または図形を記載するのに十分な面積を有することが好ましい。
【００１７】
折り曲げ部１３は、ベースシートの重心付近に配することが好ましい。これにより、第１部分１１の面積と第２部分１２の面積との差が大きくなりにくく、第１部分１１により、第２部分１２の情報入力領域を遮蔽することが容易となる。また、シール部材のデザイン性も向上することができる。
【００１８】
粘着層１４は、第２部分１２の一方の面に付着しており、剥離シート１５によって保護されている。粘着層１４から剥離シート１５を剥離することで、封筒、贈答品のパッケージ等の所望の対象に、粘着層１４を容易に貼着することができる。これにより、本考案に係るシール部材１０は、所望の対象に貼着するメッセージカードとして機能する。シール部材１０は、対象に貼着しなくてもよい。
【００１９】
次に、本考案に係るシール部材１０の使用方法について説明する。
情報入力領域１２ａに、使用者は任意の文字または図形を記入する。その後、ベースシートを折り曲げ部１３で折り曲げることで、第１部分１１により、第２部分１２の情報入力領域１２ａの少なくとも一部を遮蔽する。折り曲げ部は、予め定められた折り曲げ予定線に沿って使用者が折り曲げることで形成されてもよく、予め折り曲げられて折り目がついていてもよい。これにより、シール部材１０は、情報入力領域１２ａに記載した文字や図形を第三者に見られないようにすることができるとともに、第１部分１１の折り起こし部を視認しやすい形状となる。よって、メッセージを受ける者にデザインのより強い印象を与えることができる。
【００２０】
ここで、本実施形態に係るシール部材１０は、ベースシートの平面形状を魚の形状としている。この場合、例えば、第１部分１１の、情報入力領域１２ａと対向しない面に魚のイラストを配することが好ましい。更に、切り込み１１ａを魚の鱗の位置に配し、鱗を模するように折り起こし部を構成することで、立体的かつデザイン性に優れたシール部材１０を構成することができる。
【００２１】
ベースシートの平面形状は、図示したような魚の形状に限定されない。例えば、ベースシートを花形の形状として花のイラストを配し、花弁を模するように折り起こし部を構成することで、立体的かつデザイン性に優れたシール部材を構成することができる。
【００２２】
第１部分１１の面積は、複数の切り込み１１ａを形成しても、十分な強度を有する大きさであれば特に限定されないが、例えば１８〜４５ｃｍ2であることが好ましく、１８〜４０ｃｍ2であることがより好ましい。第１部分１１の面積を１５ｃｍ2以上とすることで、十分な強度を確保するとともに、情報入力領域１２ａを遮蔽することが容易となる。また、シール部材１０のデザイン性も向上しやすくなる。第１部分１１の面積を４５ｃｍ2以下とすることで、シール部材１０が過剰に大きくなることが避けられるため、所望の対象に貼着しやすくなる。
【００２３】
第２部分１２の面積は、文字または図形を記載するのに十分な面積の情報入力領域１２ａを確保でき、かつ粘着層１４が対象から脱落しないように貼着できる大きさであれば特に限定されないが、例えば、１５〜４０ｃｍ2であることが好ましく、１５〜３７ｃｍ2であることがより好ましい。第２部分１２の面積を１５ｃｍ2以上とすることで、情報入力領域１２ａおよび粘着層１４の面積を十分に確保できる。これにより、シール部材１０の扱いやすさと、十分な強度の粘着性とを確保することができる。第２部分１２の面積を４０ｃｍ2以下とすることで、シール部材１０が過剰に大きくなることが避けられるため、所望の対象に貼着しやすくなる。
【００２４】
第２部分１２の面積は、第１部分１１の面積の９０〜１１０％であることが好ましく、略同一であることがより好ましい。これにより、ベースシートを折り曲げ部１３で折り曲げたときに、優れたデザイン性を確保しやすくなる。また、第２部分１２が切り込み１２ｂを有する場合、第１部分の一部を切り込みに挿入しやすくなる。そのため、シール部材１０の扱いやすさが向上する。
【００２５】
本実施形態においては、第１部分１１および第２部分１２が略同一な平面形状を有するが、第１部分１１の平面形状と第２部分１２の平面形状とは、異なっていてもよい。この場合、第２部分１２の面積を第１部分１１の面積より大きくすることで、第１部分１１を支持もしくは固定するための切り込み１２ｂを、第２部分１２に形成しやすくなる。
【００２６】
シール部材１０の厚さは、１７０〜１８０μｍであることが好ましい。これにより、シール部材１０の柔軟性と強度とを両立することができる。
【００２７】
シール部材１０のベースシートとしては、十分な柔軟性および強度を有し、かつ低コストである観点から、ポリエステル、ポリエチレンテレフタラート（ＰＥＴ）、ポリ塩化ビニル等の樹脂製のシート、フィルム、紙等を用いることができる。例えば、ベースシートを紙製にすることで、情報入力領域１２ａに文字または図形を記載しやすくなり、シール部材１０の扱いやすさが向上する。シートは単独の層からなるものであってもよく、複数の層を含むものであってもよい。
【００２８】
粘着層１４に付着させる粘着剤としては、封筒、贈答品のパッケージなどの所望の対象に対して十分な粘着性を発揮するものを適宜使用すればよい。具体的には、デンプン、天然ゴム、アクリル樹脂、ウレタン樹脂等を主成分とする粘着剤が挙げられる。
【００２９】
本発明に係るシール部材は、情報入力領域に任意のメッセージ等を記入し、図５（ａ）〜（ｃ）に示すように、贈答品のパッケージ、封筒などの対象に貼着して使用することができる。
【産業上の利用可能性】
【００３０】
本考案に係るシール部材は、封筒、贈答品のパッケージ等に貼着するメッセージカードとして使用するのに特に適している。
【符号の説明】
【００３１】
１０  シール部材
１１  第１部分
１１ａ  切り込み
１２  第２部分
１２ａ  情報入力領域
１２ｂ  切り込み
１３  折り曲げ部
１４  粘着層
１５  剥離シート
【図１】
0003180830.tif 000003
【図２】
0003180830.tif 000004
【図３】
0003180830.tif 000005
【図４】
0003180830.tif 000006
【図５】
0003180830.tif 000007